(57)【特許請求の範囲】
【請求項１】
少なくとも１本の導電性ピン（１）と、
環状凹所を残すことによりピン（１）を囲む金属リング（２．１）を含むピン保持体（２）と、
環状凹所内の絶縁充填物（２．２）と、
金属リング（２．１）とピン（１）との間の導電性ブリッジ（２．３）または半導体ブリッジと、
ピン保持体（２）の一方の面側に連結され、推進薬を収容する密封キャップ（３）と、
密封キャップ（３）から離れた端部で金属リング（２．１）とプラス方式またはマイナス方式で連結でき、連結中にピン（１）と導電連結するプラグ（５）と、
被覆物がプラグ（５）と金属リング（２．１）との間で低い電気抵抗を有する為に、相互の連結の間の区域で金属リング（２．１）またはプラグ（５）の少なくとも一方に被覆物が設けられ、
０．５Ωより小さいプラグ（５）と金属リング（２．１）との間の電気接触抵抗と、
少なくとも、金属リング（２．１）に接近するプラグ（５）の端部がスリーブ（５．２）として配置され、
金属リング（２．１）とスリーブ（５．２）及びプラグ（５）が互いにスナップ差込み結合を形成し、
ピン（１）と金属リング（２．１）との間の充填物は、ガラスまたはセラミック材料またはプラスチックまたは他の絶縁材料からなり、
密封キャップ（３）は、プラグ（５）から離れた金属リング（２．１）の端部に押され、金属リング（２．１）と固定連結され
ピン保持体（２）、プラグ（５）および密封キャップ（３）は、実質的に円筒形状であり、それらの長手軸線は相互に整列し、
密封キャップ（３）と金属リング（２．１）は相互に溶接される構造を、
を備えた推進薬を点火する電気点火ユニット。
【発明の詳細な説明】
【技術分野】
【０００１】
本発明は、推進薬を点火する電気点火ユニットに関するものである。推進薬は固体でも液体でも気体でもよい。そのような点火ユニットの重要な構成要素は、少なくとも、導電性材料から成るピンと、ピンに関して過大な寸法であり、それで、ピンと共に環状空間も、環状空間内で電気絶縁充填物も囲む金属リングを含むピン保持体とである。ピン保持体の一方の端部には、推進薬（点火剤）を収容する密封キャップがある。ピン保持体の他方の端部には、任意な仕方でピン保持体と連結され、接触式で操作中にピンに浸入し、それで、導電結合を生じるプラグがある。全体の装置はハウジング内に位置される。
【０００２】
ピン保持体の充填物は、一般的に絶縁材料、例えば、ガラスから成る。そのような材料は耐真空方式で金属内で溶解される。
【０００３】
そのような点火ユニットはエレクトロニクスや電気工学で幅広く使用される。溶解に使用されるガラスは、この場合、絶縁材として使用される。典型的なガラス−金属シールは次のように形成される。金属性内部導体は予成形焼結ガラス要素内で溶解され、焼結ガラス要素は外部の金属部分内で溶解される。
【０００４】
前記の点火ユニットは自動車のエアーバックまたはシートベルト締着システムに使用される。ガラス−金属シールとして形成されるピン保持体を備えた全体の点火ユニットは点火ブリッジを含む。ガラス−金属シールは重要な役割を演じる。ガラス−金属シールは、１本または２本の金属ピンを通して生じる電圧を信頼性のある絶縁方式でハウジングに供給するために必要である。
【背景技術】
【０００５】
周知のガラス−金属シールは次のように形成される。上薬がかけられたピンまたは絶縁ピンおよび追加の導体が接地線として使用される。接地線は、通常、溶接されるかハンダ付けされる。それで、接地線は金属性ハウジングに対して必要な連結を生じる。この実施例は非常に複雑であり、生産するのは高価である。重大な欠点は、外部ハウジンングに対する接地連結が比較的に不安定なことである。このことは、特に、エアーバッグやシートベルト締着システムの前記の適用の場合に重大な結果と成り得る。
【０００６】
前記の種類または同類の周知な点火ユニットは、米国特許第６２７４２５２号明細書、米国特許第５６２１１８３号明細書、ドイツ国特許公開第２９０４１７４号公報またはドイツ国特許公開第１９９２７２３３号公報に記載されている。
【０００７】
前記の全ての点火ユニットは２本の金属ピンを含む。本発明は、特に、単一ピンだけを持つ電気点火ユニットを扱う。
【０００８】
前記の点火ユニットの重大な問題は、次のとおりである。
【０００９】
導電部分間の移行部は比較的に高い抵抗を有する。周知な点火ユニットの別の欠点は耐用年数である。耐用年数は周知な点火ユニットでは満足のいくものではない。このことは、多少なりとも、かかる構成要素の腐食が原因で起きる。
【特許文献１】米国特許第６２７４２５２号明細書
【特許文献２】米国特許第５６２１１８３号明細書
【特許文献３】ドイツ国特許公開第２９０４１７４号公報
【特許文献４】ドイツ国特許公開第１９９２７２３３号公報
【発明の開示】
【発明が解決しようとする課題】
【００１０】
本発明は、前記の欠点を回避する点火ユニットを提供することを目的とする。
【課題を解決するための手段】
【００１１】
前記の課題は、請求項１の特徴を備えた電気点火ユニットにより解決される。
【発明の効果】
【００１２】
耐用年数は、周知な点火ユニットと比較して増加される。供給導体および伝導性構成要素の移行部の全抵抗は低下し、０．５Ω以下にできる。必要な点火電力は周知な点火ユニットと比較して１０００μＪ以下の値に減少される。
【００１３】
供給導体および電気移行部の全抵抗は０．１Ω以下に達成できる。１５年以上の耐用年数が達成される。点火電力は１０００以下、すなわち、５００乃至４００μＪである。移行個所の抵抗は多年に亘って一定であり、操作作用は多年に亘って非常に一貫している。全ての要素を備えた点火ユニットは腐食に対して高抵抗である。
【００１４】
他の重要な長所は、取付具による何らの煩雑さや時間のかかる操作をすることなく、一方の手でプラグを、他方の手でピン保持体を非常に簡単に、確実に、正確に装着できることである。
【実施例】
【００１５】
本発明は、ハウジング内に組み込まれる軸方向断面図の点火ユニットを示す添付図を参照して詳細に説明される。
【００１６】
明らかなように、点火ユニットは、単一の金属ピン１を含む。金属ピンはピン保持体２により支持される。ピン保持体２は、実質的に金属リング２．１から成る。金属リング２．１は環状凹所を残すことによりピン１を囲む。環状凹所はガラス充填物２．２を含む。ガラス充填物は、一般的に充満して完全な状態で前記の凹所を満たす。しかしながら、これは必須のことではない。上記のように、充填物は、プラスチック材料またはセラミックのような他の絶縁材料でも構成できる。
【００１７】
ピン保持体２は、実質的に円筒形である。
【００１８】
ピン１と金属リング２．１は導電性ブリッジ２．３を介して相互に連結される。半導体ブリッジも使用できる。
【００１９】
密封キャップ３がピン保持体２の一方の面側に連結される。密封キャップは推進薬４（点火剤）を含む。明らかなように、金属リング２．１は密封キャップ３の自由端部が滑る鼻部を含む。金属リング２．１と密封キャップ３との間の連結は、スライドシートまたはクランプシートとして形成され、密封キャップ３は一定の緊張により任意の別の固定具なしに金属リング２．１と固定連結される。密封キャップは、通常、金属リングに溶接される。
【００２０】
さらに重要な構成要素はプラグ５である。この場合、プラグは、また、ほぼ円筒形である。ピン保持体２およびプラグ５の長手軸線は相互に整列している。
【００２１】
金属リング２．１は円形カラー２．１．１を含む。プラグ５は基体５．１とスリーブ５．２とから構成される。スリーブ５．２は、その自由端部に窪みを含み、また、窪みは円形で、その形状は実質的にカラー２．１．１の形状に対応する。金属リング２．１とプラグ５の２つの要素は、円形カラー２．１．１．と窪みの結果としてスナップ嵌め連結方式で相互に連結される。
【００２２】
それ自体、閉鎖円形断面部を備える前記のスリーブの代わりに、いくつかの脚が基体５．１と、例えば、場合により、基プラグ５の周辺に分配されて連結されることも可能である。
【００２３】
この場合、プラグ差込み連結を、ここで示されるスナップ嵌め連結の代わりに設けることができる。この場合、プラグは、再び、スリーブと同様に基体を構成し、金属リング２．１はスリーブの自由端部を差込むそれぞれの窪みを構成する。スリーブの自由端部および金属リング内の窪みの寸法は、金属リング２．１とプラグ５との間の溶接が生じるように寸法が決められる。
【００２４】
図示のように、金属ピン１は密封キャップ３と反対側にあるピン保持体２の面側を越えて突出する。金属ピン１の自由端部は、プラグの基体５．１内の穴またはプラグスリーブ内に差し込まれる。金属ピン１の被覆物表面は、前記の穴またはプラグスリーブ内に密接し、これらの２つの部分間で好ましい導電結合を生じる。
【００２５】
決定的に重要なのは、被覆物が金属リング２．１とプラグ５との間の区域にあることであり、被覆物は、プラグと金属リングの２つの要素間の非常に低い電気接触抵抗を確実にする。この抵抗は０．１Ω以下、例えば０．０５Ωである。
【００２６】
特に、被覆物材料として金が考慮されるであろう。他の貴金属も使用できる。
【００２７】
被覆物は、金属リング２．１のカラー２．１．１か、プラグ５のスリーブ５．２の窪みに適用できるか、スリーブが関係なければ、プラグ５の構成要素であるウエブのそれぞれの窪みに適用できる。それで、被覆物は、金属リングおよび同時にプラグの両方の要素に適用できる。
【００２８】
プラグ５は電気導体６に連結される。
【００２９】
全体のユニットはハウジング７内に位置される。明らかなように、環状凹所８が、ハウジング７とプラグ５のスリーブ５．２との間に位置される。プラグは、スリーブがカラー２．１．１上にクリップ止めされると、スリーブ５．２の弾性跨りを許容する。
【図面の簡単な説明】
【００３０】
【図１】ハウジンング内に設置される本発明による電気点火ユニットの軸方向断面図である。
【符号の説明】
【００３１】
１           単一金属ピン
２           ピン保持体
２．１       金属リング
２．１．１   円形カラー
２．２       ガラス充填物
２．３       導電性ブリッジ
３           密封キャップ
４           推進薬
５           プラグ
５．１       基体
５．２       スリーブ
６           電気導体
７           ハウジング
８           環状凹所
【図１】
0004731833.tif 000002